(57)【要約】【課題】既設のサッシ外枠をそのまま活かすことで、窓の開口寸法を変えることなく、かつ壁を崩す大掛かりな工事を必要とすることもなく、また床からの立上り寸法を高める必要もなく、つまずき等の不具合を生じることもなく、さらに窓の開閉が円滑に行えるサッシサッシ窓の取替え構造および同取替え方法を提供することを目的とする。【解決手段】  建物の開口部に設けられている引き戸サッシの既設の上サッシ枠に、このサッシ枠と略同一幅をもって垂設される新たな上側レールと、前記建物の開口部に設けられている既設の下側レールに被着される新たな被覆型下側レールと、前記新たな上側レールおよび新たな被覆型下側レールに移動可能に支持された障子とを備えた。【選択図】  図１
2006219852.tif 000002
【特許請求の範囲】
【請求項１】
建物の開口部に設けられている引き戸サッシの既設の上サッシ枠に、このサッシ枠と略同一幅をもって垂設される新たな上側レールと、前記建物の開口部に設けられている既設の下側レールに被着される新たな被覆型下側レールと、前記新たな上側レールおよび新たな被覆型下側レールに移動可能に支持された障子とを備えたことを特徴とするサッシ窓の取替え構造。
【請求項２】
建物の開口部に設けられている既設の引き戸サッシの上サッシ枠に、このサッシ枠と略同一幅をもって垂下する新たな上側レールを設置する工程と、前記建物の下框に設けられている既設の下側レール上に新たな被覆型レールを被着する工程と、前記新たな上側レールおよび新たな被覆型下側レールに新たな障子を支持させる工程とを備えたことを特徴とするサッシ窓の取替え工法。
【発明の詳細な説明】
【技術分野】
【０００１】
本発明は、例えば住宅用建物等に設けられている既設の引き戸サッシを新サッシに取替える場合に好適なサッシ窓の取替え構造および同取替え方法に関するものである。
【背景技術】
【０００２】
古い建物の引き戸サッシにあっては、汚れや損傷に加え、戸車の不具合でサッシ窓の動きが悪くなったり、さらには近年の高機能なサッシへの希望もあることから、サッシ窓を取替えることが行われている。
【０００３】
しかし、住宅専用引き戸のサッシ構造にあっては、形状・寸法等がメーカーごと、年代ごとに様々で数え切れないほど多数の種類が存在し、既設のサッシ外枠にそのまま適合する新しいサッシ窓を調達することは極めて困難であることから、サッシ外枠を残してサッシ窓のみを取替えることは殆ど行われていない。
【０００４】
そこで、サッシ窓を取替える場合には、壁に埋設されている既存のサッシ外枠を外して新サッシ窓を取り付ける方法や、サッシ外枠を残したまま、その内側に一回り小さい一対の新サッシ外枠とサッシ窓を取り付けることが行われている。（例えば、特許文献１，２等参照）。
【０００５】
【特許文献１】特開２００１−７３６３７号公報
【特許文献２】特開２００１−１９３３５９号公報
【発明の開示】
【発明が解決しようとする課題】
【０００６】
しかしながら、従来のサッシ窓取替え技術のうち、壁に埋設されているサッシ外枠を取外す方法にあっては、共同住宅においてサッシ外枠が共有部分に属すると判断されると共有部分のサッシ外枠を個人で勝手に取替えることは困難となり、かつそれが認められた場合であっても壁を壊す工事のために左官等種々の職業を必要とし、部屋の内外が長期間占有される大工事となるものであり、また２階以上であればさらに足場が必要となり多大な費用を余儀なくされていた。
【０００７】
また、サッシ外枠を残し、その内側に一回り小さい１対のサッシ外枠とサッシ窓を取替える方法にあっては窓の開口寸法が一回り小さくなることから、グレードアップ感が損なわれ、かつ床面と同じ高さに設置されたテラス戸の場合にはサッシ下枠床面から立上ることを余儀なくされ、つまずくおそれもあった。
【０００８】
さらに、既設サッシ外枠を残して、その内側に新サッシ窓を取り付けようとすると、サッシ窓の外枠窓の召し合わせ部と、内側の召し合わせ部とが噛み合うポイントがずれることもある。
【０００９】
本発明は、このような事情に鑑みてなされたものであり、既設のサッシ外枠をそのまま活かすことで、窓の開口寸法を変えることなく、かつ壁を崩す大掛かりな工事を必要とすることもなく、また床からの立上り寸法を高める必要もなく、つまずき等の不具合を生じることもなく、さらに窓の開閉が円滑に行えるサッシサッシ窓の取替え構造および同取替え方法を提供することを目的とする。
【課題を解決するための手段】
【００１０】
前記の目的を達成するため、請求項１に係る発明では、建物の開口部に設けられている引き戸サッシの既設の上サッシ枠に、このサッシ枠と略同一幅をもって垂設される新たな上側レールと、前記建物の開口部に設けられている既設の下側レールに被着される新たな被覆型下側レールと、前記新たな上側レールおよび新たな被覆型下側レールに移動可能に支持された障子とを備えたことを特徴とするサッシ窓の取替え構造を提供する。
【００１１】
請求項２に係る発明では、建物の開口部に設けられている既設の引き戸サッシの上サッシ枠に、このサッシ枠と略同一幅をもって垂下する新たな上側レールを設置する工程と、前記建物の下框に設けられている既設の下側レール上に新たな被覆型レールを被着する工程と、前記新たな上側レールおよび新たな被覆型下側レールに新たな障子を支持させる工程とを備えたことを特徴とするサッシ窓の取替え工法を提供する。
【発明の効果】
【００１２】
本発明によれば、改修工事としては実質的に、既設の上サッシ枠を存置したままで、このサッシ枠と略同一幅をもって垂下する新たな上側レールを設置するとともに、既設の下側レールに被着される新たなレールを設置するだけであるため、既設のサッシ枠をそのまま活かすことができ、窓の開口寸法を変えることながく、かつ壁を崩す等の大掛かりな工事を必要とすることもなく改修工事を極めて簡便かつ迅速に、しかも廉価にて行うことができる。また、床からの立上り寸法を高める必要もなく、つまずき等の不具合を生じることもなく、さらに窓の開閉が円滑に行えるサッシ窓の取替えが可能となる。
【発明を実施するための最良の形態】
【００１３】
以下、本発明に係るサッシ窓の取替え構造および同取替え方法の一実施形態について、図面を参照して説明する。
【００１４】
図１は、本発明の取替え構造が適用された引き戸のサッシ窓１０を有する建物構造の全体を概略的に示している。この図１に示すように、本実施形態のサッシ窓１０は、一般住宅または集合住宅その他各種建物の外壁等の壁１１に適用されるものである。このサッシ窓１０は、建物の外壁等に窓孔として形成された開口部に、既設のサッシ部材をその設置状態のままで利用し、それに新たなサッシ部材を加える形で設けられている。
【００１５】
すなわち、壁１１に形成された開口部の下端側には、既存のままで下框１２が設けられており、開口部の上端側には既存のままで上框１３が設けられている。また、開口部の図示左側には左側縦縁部１４がそのまま形成されており、開口部の図示右側には右側縦縁部１５がそのまま形成されている。
【００１６】
そして、これらの下框１２と、上框１３と、左縦縁部１４と、右縦縁部１５とによって囲まれる空間の建物外側に、本実施形態による新設の引き戸サッシである外側障子３０が設けられるとともに、これら下框１２と、上框１３と、左縦縁部１４と、右縦縁部１５とによって囲まれる空間の建物内側に、本実施形態による新設の引き戸サッシである内側障子３１が設けられている。
【００１７】
このように、既設のサッシ窓１０を有する建物等に対し、本実施形態では、新設の外側障子３０および新設の内側障子３１が設けられるとともに、これらを支持するための既設の上サッシ枠に対して後述する上側レールが設けられ、一方、既設の下サッシ枠に対して、新設される下側の外側レールおよび内側レールが設けられ、これらの新たな構造部材によって本実施形態のサッシ窓の取替え構造および同取替え方法が適用され、新たなサッシ枠として取替えられるようになっている。
【００１８】
図２は、図１に示したサッシ窓１０を構成するための上側のレールと下側のレールの取付け前の状態を示している。この図２に示すように、建物の下框１２には、開口部の全長に亘る既設の下サッシ枠２０がそのまま設けられており、一方、上框１３には、壁１１に隠れて図示されない（後述する図５および図６には図示されている）既設の上サッシ枠２０が、建物にそのまま固定されて設けられている。
【００１９】
この既存の上サッシ枠２０の下部に対して、本実施形態の新たな上側レール２１が連結される。図２における開口部の図示右側の縦縁部１４には、開口部の上下に亘る既設の縦サッシ枠２２がそのまま設けられており、図２における開口部の図示左側の縦縁部１５には、開口部の上下に亘る既設の縦サッシ枠２３がそのまま設けられている。
【００２０】
さらに、建物の開口部の長さ方向全体に亘る下サッシ枠２０には、下サッシ本体の上に建物内側に位置して一体に設けられた既設の外側下レール２４と、下サッシ本体の上に建物外側に位置して一体に設けられた既設の内側下レール２５とがそのまま設けられている。
【００２１】
本実施形態では、このような既設の外側下レール２４に新たな被覆型外側下レール２６が被着されるとともに、既設の内側下レール２５には、新たな被覆型内側下レール２７が被着されるようになっている。
【００２２】
図３は、本実施形態により新たに開口部内の外側位置に配置される外側障子３０と、新たに開口部内の内側位置に配置される内側障子３１との取付け前の状態を示している。この図３に示すように、外側障子３０は、その下端部分のスライド移動部分を構成する横長な外側障子下枠３２と、外側障子３０の上端部分を構成する外側障子上枠３３と、障子開閉時に把持する端部となる開閉端側障子縦枠３４と、下記の内側障子３１に設けられる図示省略の錠が係止される錠ボックス３６付の召し合わせ側障子縦枠３５とからなる障子枠構成部分と、この障子枠構成部分内に取付けられた各種材質からなる外側窓ガラス３７とにより構成されている。
【００２３】
また、内側障子３１は、その下端部分のスライド移動部分を構成する横長な内側障子下枠３８と、内側障子３１の上端部分を構成する内側障子上枠３９と、障子開閉時に反把持側の端部となる召し合わせ側障子縦枠４０と、障子開閉時に把持する端部となる内側障子３１に設けられる開閉端側障子縦枠４１とからなる障子枠構成部分と、この障子枠構成部分内に取付けられた各種材質からなる内側窓ガラス４２とにより構成されている。
【００２４】
図４は、図２および図３に示した新たな部材の取付け状態を示している。すなわち、図４は、図２に示した上側レール２１、被覆型外側下レール２６、内側下レール２７、図３に示した新たな外側障子３０および内側障子３１を取付けた状態を示している。
【００２５】
図４に示すように、上框１３に設けられた新たな上側レール２１の垂下部分は、比較的垂下長さが小さく、既設の上側レール高さから殆ど変化していない。また、新たな被覆型外側下レール２６および内側下レール２７は、既設の外側下レール２４および内側下レール２５上に被着しただけであるため、下框１２の高さが既設の構成から殆ど変わっていない。
【００２６】
図５は、新たな上側レール２１の構成を詳細に示す斜視図であり、図６は、新たな上側レール２１を既設の上サッシ枠５０に取付けた状態を詳細に示す縦断面図である。
【００２７】
図６に示すように、既設の上サッシ枠５０は、上框１３に固定設置された水平部５１を有しており、この水平部５１の建物外側縁部から外側垂下片５２が一体に垂下している。また、水平部５１の建物内側縁部には、外側垂下片５２と平行な内側垂下片５３が水平部５１と一体に垂下している。これにより、上サッシ枠５０は下向き開口のコ字形をなしている。
【００２８】
さらに、水平部５１の建物内外中央位置には、中央垂下片５４が例えば溶接等によって水平部５１と一体的に垂下している。なお、上サッシ枠５０の建物内側縁部には、上向きのＬ字形アングル５５が溶接等によって一体に固定されており、このアングル５５が上框１３部の桟１３ａにネジ５６により固着されている。  次に、新たな上側レール２１は、図５および図６に示すように、既設の上サッシ枠５０と同一幅を有している。すなわち、この上側レール２１は、既設の上サッシ枠５０の建物内外方向の幅に対して略１／３の幅寸法をもつ水平な中央水平片６７を有しており、この中央水平片６７の幅方向一端部、すなわち建物外側の端部に、一段低い配置で水平な外側水平片６６が中央水平片６７と段差をもって一体に設けられている。
【００２９】
この外側水平片６６の幅も、既設の上サッシ枠５０の幅に対して略１／３の幅寸法を有しており、この外側水平片６６の建物内側に向く端部は中央水平片６７の下側に一部突出する状態となっている。
【００３０】
また、中央水平片６７の幅方向他端部、すなわち建物内側の端部に、一段低い配置で水平な内側水平片６８が中央水平片６７と段差をもって一体に設けられている。この内側水平片６８の幅も、既設の上サッシ枠５０の幅に対して略１／３の幅寸法を有しており、この内側水平片６８の建物外側に向く端部も中央水平片６７の下側に一部突出する状態となっている。
【００３１】
そして、外側水平片６６の建物外側端部から下方に向って外側垂下片６１が一体に垂下している。また、この外側水平片６６の建物内側端部から下方に外側レール６２が一体に垂下している。
【００３２】
さらに、内側水平片６８の建物外側端部から下方に内側レール６３が一体に垂下しており、この内側水平片６８の建物内側端部から下方に内側垂下片６４が一体に垂下している。
【００３３】
外側レール６２は、図３および図４に示した外側障子３０の外側障子上枠３３をガイドするためのレールとなっている。また、内側レール６３は、図３および図４に示した内側障子３１の内側垂下片３９をガイドするためのレールとなっている。
【００３４】
外側垂下片６１は、中央水平片６７よりも高い位置まで上方に伸び、その上端は中央水平片６７側に向って折曲し、外側垂下片６１と外側レール６２との間の中間位置まで水平に伸びている。一方、内側垂下片６４も同様に、中央水平片６７よりも高い位置まで上方に伸び、その上端は中央水平片６７側に向って折曲し、外側垂下片６１と外側レール６２との間の中間位置まで水平に伸びている。
【００３５】
外側垂下片６１の上端は、既設の上サッシ枠５０の外側垂下片５２の下端に当接し、かつ内側垂下片６４の上端は、既設の上サッシ枠５０の内側垂下片５３の下端に当接する状態で、既設の上サッシ枠５０の下側に接合されている。
【００３６】
中央水平片６７の上には、Ｌ字形のアングル７０が配置されており、このアングル７０の垂直片７１がネジ７４により既設の上サッシ枠５０の外側垂下片５２にネジ止めされ、アングル７０の水平片７２がネジ７３により中央水平片６７にネジ止めされている。このネジ止め部分の内側空間には水の侵入防止用のシール部材１００が充填されている。
【００３７】
また、内側上端水平片７５の上にＬ字形のアングル７６が配置され、このアングル７６の垂直片７７がネジ７９により既設の上サッシ枠５にネジ止めされ、アングル７６の水平片７８がネジ７９により、内側上端水平片７５にネジ止めされている。
【００３８】
以上の構成により、上側レール２１は、簡易な構成によって既設の上サッシ枠５０の直下位置に簡易な構成によって連結固定され、外側障子３０と内側障子３１の上端をガイドするレールを構成している。
【００３９】
図７は、新たな被覆型外側下レール２６および被覆型内側下レール２７を、既存の外側下レール２４および内側下レール２５に被着する構成を示し、図８は、新たな被覆型外側下レール２６および被覆型内側下レール２７に外側障子下枠３２および３８をガイドする構成を示している。
【００４０】
図７および図８に示すように、建物内の床部材１２ａの窓側端部には、上面が一段低い一定幅の縁部材１２ｂが連設されている。この縁部材１２ｂによって、下框１２が構成されている。縁部材１２ｂには、この縁部材１２ｂの上面、建物外側面側および建物内側面を覆う下サッシ枠２０が設けられている。この下サッシ枠２０の建物外面側には、水受け樋２０ａが例えばネジ２０ｂによって一体的に固定されている。また、下サッシ枠２０の建物内面側には、室内側への水の侵入防止のための縦板部２０ｃが、下サッシ枠２０と一体に設けられている。
【００４１】
被覆型外側下レール２６は、その内面側の断面形状が、既存の外側下レール２４の外面の断面形状と一致する形状、例えば断面逆Ｕ字状の長尺部材として構成されている。また被覆型内側下レール２７は、その内面側の断面形状が、既存の内側下レール２５外面の断面形状と一致する形状、例えば断面逆Ｕ字状の長尺部材として構成されている。
【００４２】
これらの被覆型外側下レール２６および被覆型内側下レール２７は、予め既存の外側下レール２４および内側下レール２５の断面形状および長さを計測し、種々の規格を予め設定して製作した予備的な部材からの選択により、または既存の外側下レール２４および内側下レール２５の実物に合わせて製作することにより適宜、迅速に調達することができる。そして、被覆型外側下レール２６および被覆型内側下レール２７は、既存の外側下レール２４および内側下レール２５の形状に対応した形状とすることにより、十分な耐久性を有するものとすることができる。
【００４３】
被覆型外側下レール２６および被覆型内側下レール２７は、所定強度を有する金属を素材として薄い曲板状に製作され、既存の外側下レール２４および内側下レール２５に被着しても、殆ど高かくなることはなく、殆ど既設の外側下レール２４および内側下レール２５と変わらない。したがって、人がサッシ部から建物外に出たりする場合につまずいたりする恐れがない。
【００４４】
図８では、このような構成の被覆型外側下レール２６および被覆型内側下レール２７に外側障子下枠３２および内側障子下枠３８を搭載した状態を示している。この図８に示すように、本実施形態の外側障子下枠３２は、その下端部に形成した開口部内に戸車８０を備えている。この戸車８０は、ローラ支持枠８１内に軸８３を介してローラ８２を支持させたものである。このローラ８２が、被覆型外側下レール２６上に接した状態で搭載され、被覆型外側下レール２６に沿って移動することができる。
【００４５】
また、内側障子下枠３８は、その下端部に形成した開口部内に戸車９０を備えている。この戸車９０は、ローラ支持枠９１内に軸９３を介してローラ９２を支持させたものである。このローラ９２が、被覆型内側下レール２７上に接した状態で搭載され、被覆型内側下レール２７に沿って移動することができる。
【００４６】
図９は、本実施形態による新たな障子構成を示す分解斜視図である。なお、代表的に内側障子３１について説明する。
【００４７】
この図９に示すように、内側障子３１は、その下端部分のスライド移動部分を構成する横長な内側障子下枠３８と、内側障子３１の上端部分を構成する内側障子上枠３９と、障子開閉時に反把持側の端部となる召し合わせ側障子縦枠４０と、障子開閉時に把持する端部となる内側障子３１に設けられる開閉端側障子縦枠４１とからなる障子枠構成部分と、この障子枠構成部分内に取付けられた各種材質からなる内側窓ガラス４２とにより構成されている。内側障子下枠３８には、その下端部の長さ方向両端部に形成した開口部内にそれぞれ戸車９０を備えている。
【００４８】
なお、外側障子３０の構成については、召し合わせ部５９を除き、略内側障子３１と同様である。
【００４９】
図１０は、内側障子３１の開閉端側障子縦枠４１の横断面構造（図９のＸ−Ｘ線断面）を示したものである。
【００５０】
この図１０に示すように、内側障子３１の開閉端側障子縦枠４１は、一端側が開口する断面コ字形の内側障子枠保持枠部４３と、この内側障子枠保持枠部４３に一体連設されたボックス柱状の中央枠４５と、この中央枠４５に一体連設され内側障子枠保持枠部４３と反対の向きに開口する断面コ字形の端部枠４４とを備えて構成されている。
【００５１】
内側障子枠保持枠部４３には、その内側障子枠保持枠部４３の建物内方を向く一方の側壁の開口端部位置に開口部内側に向って突出する保持部４６が設けられ、これに対向する他方の壁の開口端部には開口部内側に向って突出する保持部４７が設けられている。これにより、内側障子枠保持枠部４３には、内側障子下枠３８および内側障子上枠３９を挿入保持して一体的固定できるようになっている。
【００５２】
また、端部枠４４内には、断面コ字形のパッキン保持枠４９を介して、パッキン６０が保持されている。  図１１は、内側障子３１の召し合わせ側障子縦枠４０の横断面構造（図９のＸＩ−ＸＩ線断面）を示したものである。
【００５３】
この図１１に示すように、召し合わせ側障子縦枠４０は、召し合わせ側端部壁５５と、この召し合わせ側端部壁５５に一体に連設された建物内方を向く内側壁５６と、この内側壁５６に対向して建物外方を向く外側壁５７と、内側壁５６と外側壁５７との間に位置して設けられた受け壁５８と、外側壁５７に設けられた召し合わせ部５９とを備えて構成されている。
【００５４】
この召し合わせ側障子縦枠４０の内側壁５６と外側壁５７と内側障子枠保持枠部４３の一方の側壁の開口端部位置に開口部内側に向って突出する保持部４６が設けられ、これに対向する他方の壁の開口端部には開口部内側に向って突出する保持部４７が設けられている。これにより、内側障子枠保持枠部４３には、内側障子下枠３８および内側障子上枠３９を挿入保持して一体的固定できるようになっている。
【００５５】
図１２は、内側障子上枠３９の縦断面構造（図９のＸＩＩ−ＸＩＩ線断面）を示したものである。
【００５６】
この図１２に示すように、内側障子上枠３９は断面縦長に形成されており、建物外方を向く外側壁１０１と、建物内方を向く内側壁１０２とを有し，これら外側壁１０１と内側壁１０２とが高さ方向中間位置で接続壁１０３によって接続されている。このような構成により、内側障子上枠３９は上下端が開口する構成となっている。外側壁１０１の上端には、内側壁１０２側に向って折曲する折曲壁１０４が形成され，この折曲壁１０４の先端は内側障子上枠３９の内方に向って折曲して垂下し、外側係止壁１０５となっている。
【００５７】
この外側係止壁１０５に下方から対向するように、外側壁１０１から内側係止壁１０６が突出している。これにより、外側壁１０１側から内側壁１０２側に向う袋状の係合穴が形成され、この係合穴部に、上述した新たな上側レール２１の垂下する内側レール３の外面に係合してスライドする係止具１０７が装着されている。
【００５８】
また、内側障子上枠３９の内側壁１０２側の上端においても同様に、外側壁１０１側に向って折曲し、内側障子上枠３９の内方に向う折曲壁１０８が形成されている。また、この折曲壁１０８に対して内側壁１０２に下方から対向するように、係止壁１０９が突出している。これにより、内側壁１０２側から外側壁１０１側に向う袋状の係合穴が形成され、この係合穴部に、新たな上側レール２１の垂下する内側レール６３の外面に係合してスライドする係止具１１０が装着されている。
【００５９】
なお、１０１および１０２の下端には、互いに向き合う外側係止壁１１１および内側係止壁１１２が形成され、この間にパッキン１１３が収納されている。このパッキン１１３には、内側窓ガラス４２が固定保持される。
【００６０】
図１３は、召し合わせ側障子縦枠４０と開閉端側障子縦枠４１の下端部間に水平に組立てられる内側障子下枠３８の縦断面構造（図９のＸＩＩＩ−ＸＩＩＩ線断面）を示したものである。
【００６１】
この図１３に示すように、召し合わせ側障子縦枠３８は、断面縦長に形成されており、建物外方を向く外側壁１２０と、建物内方を向く内側壁１２１とを有し，これら外側壁１２０と内側壁１２１とが上端付近に高さを異ならせて２つの接続壁１２２、１２３によって接続されている。また、外側壁１２０と内側壁１２１との下端側にも接続壁１２４が設けられている。なお、この下端側の接続壁１２４には、下レール側に沿う横方向量端部において、戸車挿入用の切欠部１２４ａが形成されている（図１９参照）。
【００６２】
外側壁１２０の上端には、内側壁１２１側に向って折曲する折曲壁１２５が形成されている。この折曲壁１２５の先端は内側障子下枠３８の内方に向って折曲して垂下している。また、内側障子下枠３８の内側壁１２１の上端においても同様に、外側壁１２０側に向って折曲し、内側障子上枠３９の内方に向う折曲壁１２６が形成されている。これらの折曲壁１２５，１２６より、内側障子上枠３９の上端に袋状の係合穴が形成され、この係合穴部内にパッキン１２８が収納され、内側窓ガラス４２を保持できるようになっている。  なお、内側障子下枠３８の下端部内には、図８で説明したように、開口部が形成され、その内部に戸車９０が収納されている。この戸車９０は、ローラ支持枠９１内に軸９３を介してローラ９２を支持させたものである。
【００６３】
図１４は、戸車９０を示す斜視図であり、図１５は同正面図である。図１６は、戸車１０の縦断面（図１５のＸＶＩ−ＸＶＩ）である。
【００６４】
これらの図に示すように、戸車９０は、天板１３２と両側壁１３３，１３４とからなる下端および長手方向両端が開口する横長なローラ支持枠９１を備えている。ローラ支持枠９１の内側には、これと略同断面形状の内フレーム１３８が設けられ、この内フレーム１３８はローラ支持枠９１に対して摺動できる状態で収納されている。この内フレーム１３８には、水平な軸９３を介してローラ９２が回転自在に支持されている。ローラ支持枠９１の一方の側壁１３３には、ローラ９２の側面が露出する切欠１３５が形成されるとともに、斜め下方に傾斜する傾斜切欠１３６および一定長の溝状び窪み１３７が形成されている。内フレーム１３８の外面には、傾斜切欠１３６および一定長の溝状び窪み１３７に係合し、これにガイドされる凸係止部１３９が形成され、矢印ａで示す斜め上下方向に移動規制されるようになっている。
【００６５】
また、内フレーム１３８には、矢印ａ方向と平行な方向に切欠１４２が形成されており、この切欠１４２に、ピン等の係合部１４０，係合部１４１が係合している。これにより、内フレーム１３８は一定の姿勢を保持した状態でローラ支持枠９１から斜め下方に出没できる構成となっている。
【００６６】
ローラ支持枠９１のローラ保持側と反対側の端部には係止部材１４３が挿入されている。この係止部材１４３は、ローラ支持枠９１内に固定されている。この係止部材１４３に、ローラ９４の反対側から内フレーム１３８を押圧移動できる連結部１４７が設けられ、この連結部を, 外部から水平方向に押圧することにより、傾斜切欠１３６および切欠１４２等に沿って移動操作することができるようになっている。
【００６７】
押圧移動手段としては、係止部材１４３に設けたネジ１４６を、操作用の孔１４５を介してドライバ等によって回転操作することで、内フレーム１３８を押圧移動できるようになっている。なお、係止部材１４３は、ローラ支持枠９１から一部突出し、内側障子保持枠４３に固定し得る鍔状のストッパ１４４が形成されている。
【００６８】
図１７は、図１０で示した内側障子上枠３９に対するパッキン保持枠４９の取付け構造および開閉端側障子縦枠４１の連結構造（図９のＸＶ−ＸＶ部）を示したものである。
【００６９】
この図１７に示すように、開閉端側障子縦枠４１は、一端側が開口する断面コ字形の内側障子枠保持枠部４３と、この内側障子枠保持枠部４３に一体連設されたボックス柱状の中央枠４５と、この中央枠４５に一体連設され内側障子枠保持枠部４３とは反対の向きに開口する断面コ字形の端部枠４４とを備えている。
【００７０】
内側障子枠保持枠部４３には、その内側障子枠保持枠部４３の建物内方を向く一方の側壁の開口端部位置に、開口部内側に向って突出する保持部４６が設けられ、これに対向する他方の壁の開口端部には、開口部内側に向って突出する保持部４７が設けられている。
【００７１】
また、パッキン保持枠４９には、パッキン６０が保持され、上端壁には内側レール６３を挿入するためのレール挿入開口部１１５が形成されている。このパッキン保持枠４９が、開閉端側障子縦枠４１の開閉端側障子縦枠４４内に挿入される。
【００７２】
内側障子上枠３９は外側壁１０１および内側壁１０２を有し、これらが接続壁１０３で連結されている。上面側には、折曲壁１０４，１０８が対向し、これらの隙間部分が内側レール６３を挿入するための溝１１８とされている。内側障子上枠３９の内部には、シール部材１１４が挿入されている。
【００７３】
これにより、内側障子枠保持枠部４３には、内側障子下枠３８および内側障子上枠３９を挿入保持して一体的固定できるようになっている。
【００７４】
図１８は、内側障子上枠３９と召し合わせ側障子縦枠４０との組立て構造（図９のＸＩ−ＸＩ線断面）を示したものである。
【００７５】
この図１８に示すように、召し合わせ側障子縦枠４０は、召し合わせ側端部壁５５と、この召し合わせ側端部壁５５に一体に連設された建物内方を向く内側壁５６と、この内側壁５６に対向して建物外方を向く外側壁５７と、内側壁５６と外側壁５７との間に位置して設けられた受け壁５８と、外側壁５７に設けられた召し合わせ部５９とを備えて構成されている。
【００７６】
この召し合わせ側障子縦枠４０の内側壁５６と外側壁５７と内側障子枠保持枠部４３の一方の側壁の開口端部位置に開口部内側に向って突出する保持部４６が設けられ、これに対向する他方の壁の開口端部には開口部内側に向って突出する保持部４７が設けられている。これにより、内側障子枠保持枠部４３には、内側障子下枠３８および内側障子上枠３９を挿入保持して一体的固定できるようになっている。
【００７７】
図１９は、戸車の内側障子上枠３９の横断面構造（図９のＸＶＩＩＩ−ＸＶＩＩＩ線断面）を示したものである。
【００７８】
図１９に示すように、内側障子下枠３８の内部に設けた下部連結壁１２４に、切欠部１２４ａが設けられている。戸車９０は、この切欠部１２４ａ部分に挿入され、固定される。この場合、戸車９０のローラ支持枠９１の下縁が下部連結壁１２４上に支持される。
【００７９】
図２０は、使用状態における３８および３９の上部と５０に設けた２１との、組立て状態（図４のＸＸ−ＸＸ断面状態）を示したものである。
【００８０】
図２０に示すように、内側障子上枠３８の上端は上側レール２１の外側レール６２に係止具１０７、１１０を介してガイドされる。また、外側障子上枠３９の上端は上側レール２１の内側レール６３に係止具１０７、１１０を介してガイドされる。このように、既設の上サッシ枠５０に簡便な構成で連結された２１を介して３８，３９を開閉操作することができ、既設の５０はそのままの状態で、取外す等の作業を何ら必要とすることなく、新たな内側障子上枠３８を使用することができる。
【００８１】
図２１は、使用状態における３８および３９の下部のローラ８２，９２と被覆型外側レール２６および被覆型内側レール２７との係合状態（図４のＸＸＩ−ＸＸＩ断面状態）を示したものである。
【００８２】
図２１に示すように、本実施形態では、既設の外側下レール２４および既設の内側下レール２５をそのまま存置して、これら既設の外側下レール２４および内側下レール２５上に、新たなローラ８２，９２を搭載して回転走行させ、外側障子３０および内側障子３８を円滑に開閉使用することができる。この場合、殆ど既設の外側下レール２４および内側下レール２５と変わらないので、人がサッシ部から建物外に出たりする場合につまずいたりする恐れがない。
【図面の簡単な説明】
【００８３】
【図１】本発明の実施形態による全体構成を示す斜視図である。
【図２】本発明の実施形態による上側レールおよび下側レールの構成を示す斜視図である。
【図３】本発明の実施形態による外側障子等を示す分解異斜視図である。
【図４】本発明の実施形態による部材の取付け状態をを示す断面図である。
【図５】本発明の実施形態による上側レールを示す断面図である。
【図６】本発明の実施形態による上サッシ枠を示す断面図である。
【図７】本発明の実施形態による被覆型下レールを示す斜視図である。
【図８】本発明の実施形態による被覆型下レールを示す断面図である。
【図９】本発明の実施形態による障子構成を示す分解斜視図である。
【図１０】図９のＸ−Ｘ線断面図である。
【図１１】図９のＸＩ−ＸＩ線断面図である。
【図１２】図９のＸＩＩ−ＸＩＩ線断面図である。
【図１３】図９のＸＩＩＩ−ＸＩＩＩ線断面図である。
【図１４】本発明の実施形態による戸車を示す斜視図である。
【図１５】本発明の実施形態による戸車を示す正面図である。
【図１６】図１５のＸＶＩ−ＸＶＩ断面図である。
【図１７】本発明の実施形態による内側障子上枠と開閉端側障子縦枠との連結構造
【図１８】発明の実施形態による内側障子上枠と召し合わせ側障子縦枠との連結構造を示す断面図である。
【図１９】本発明の実施形態による戸車の内側障子下枠へ組込構造を示す断面図である。
【図２０】本発明の実施形態による上側レールと既設の上サッシ枠との連結構造を示す断面図である。
【図２１】本発明の実施形態による被覆型レールと障子との連結構造を示す断面図である。
【符号の説明】
【００８４】
１０  サッシ窓
１１  建物の壁
１２  下框
１２ａ  床部材
１２ｂ  縁部材
１３  上框
１３ａ  桟
１４  縦縁部
１５  縦縁部
２０  下サッシ枠
２０ａ  水受け樋
２０ｂ  ネジ
２０ｃ  縦板部
２１  上側レール
２２  縦サッシ枠
２３  縦サッシ枠
２４  既設の外側下レール
２５  既設の内側下レール
２６  被覆型外側下レール
２７  被覆型内側下レール
３０  外側障子
３１  内側障子
３２  外側障子下枠
３３  外側障子上枠
３４  開閉端側障子縦枠
３５  召し合わせ側障子縦枠
３６  錠ボックス
３７  外側窓ガラス
３８  横長な内側障子下枠
３９  内側障子上枠
４０  召し合わせ側障子縦枠
４１  開閉端側障子縦枠
４２  内側窓ガラス
４３  内側障子枠保持枠
４４  端部枠
４５  中央枠
４６  保持部
４９  パッキン保持枠
５０  既設の上サッシ枠
５１  水平部
５２  外側垂下片
５３  内側垂下片
５４  中央垂下片
５５  Ｌ字形アングル
５６  ネジ
５７  外側壁
５８  受け壁
５９  召し合わせ部
６０  パッキン
６１  外側垂下片
６２  外側レール
６３  内側レール
６４  内側垂下片
６６  外側水平片
６７  中央水平片
６８  内側水平片
７０  アングル
７１  垂直片
７４  ネジ
７２  水平片
７３  ネジ
７５  内側上端水平片
７６  アングル
７７  垂直片
７９  ネジ
７８  水平片
８０  戸車
８１  ローラ支持枠
８３  軸
８２  ローラ
９０  戸車
９１ローラ支持枠
９３  軸
９２  ローラ
１００  シール部材
１０１  外側壁
１０２  内側壁
１０３  接続壁
１０４  折曲壁
１０５  外側係止壁
１０６  内側係止壁
１０７  係止具
１０８  折曲壁
１０９  係止壁
１１０  係止具
１１１  係止壁
１１２  係止壁
１１３  パッキン
１１５  弾性部材
１１６  レール挿入開口部
１１８  溝
１２０  外側壁
１２１  内側壁
１２２  上部連結壁
１２３  中間連結壁
１２４  下部連結壁
１２４ａ  切欠部
１２５  折曲壁
１２６  折曲壁
１２７  外側係止壁
１２８  パッキン
１２９  外側壁下端部
１３０  内側壁下端部
１３１  係止壁
１３２  天板
１３３  側壁
１３４  側壁
１３５  切欠
１３６  傾斜切欠
１３７  窪み
１３８  内フレーム
１３９  凸係止部
１４０  係合部
１４１  係合部
１４２  切欠
１４３  係止部材
１４４  ストッパ
１４５  貫通孔
１４６  ネジ
１４７  連結部
【図１】
2006219852.tif 000003
【図２】
2006219852.tif 000004
【図３】
2006219852.tif 000005
【図４】
2006219852.tif 000006
【図５】
2006219852.tif 000007
【図６】
2006219852.tif 000008
【図７】
2006219852.tif 000009
【図８】
2006219852.tif 000010
【図９】
2006219852.tif 000011
【図１０】
2006219852.tif 000012
【図１１】
2006219852.tif 000013
【図１２】
2006219852.tif 000014
【図１３】
2006219852.tif 000015
【図１４】
2006219852.tif 000016
【図１５】
2006219852.tif 000017
【図１６】
2006219852.tif 000018
【図１７】
2006219852.tif 000019
【図１８】
2006219852.tif 000020
【図１９】
2006219852.tif 000021
【図２０】
2006219852.tif 000022
【図２１】
2006219852.tif 000023